【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
ａ）複数のモジュール（１２；１４）であって、各モジュール（１２；１４）は、複数の第１のリンク端部（６２；８０）、複数の第２のリンク端部（６４；８２）、並びに、前記複数の第１のリンク端部（６２；８０）と前記複数の第２のリンク端部（６４；８２）とを連絡して一体に形成された中間セクション（６０；７８）を有してなり、各モジュール（１２；１４）のリンク端部（６２、６４；８０、８２）は、ベルトの最も端側に配されるモジュール（１２；１４）の各リンク端部（６２、６４；８０、８２）を除いて、隣り合うモジュール（１２；１４）のリンク端部（６２、６４；８０、８２）どうしの間で脱着自在に係合されること、並びに、モジュール（１２；１４）の少なくとも一部は、１００ミクロン以下の平均セル寸法を有してなる複数のセルを含むポリマー材料を用いて形成される複数のモジュール（１２；１４）；並びに
ｂ）係合するリンク端部（６２、６４；８０、８２）にて、前記モジュール（１２；１４）どうしを軸回転できるように連結するピボットロッド
を有してなるモジュール式コンベヤーベルト。
【請求項２】
平均セル寸法は約６０ミクロンである請求項１記載のコンベヤーベルト。
【請求項３】
平均セル寸法は約２０ミクロンである請求項１記載のコンベヤーベルト。
【請求項４】
１０％以上の気泡体積を有する請求項１〜３のいずれかに記載のコンベヤーベルト。
【請求項５】
約１０％〜約５０％の気泡体積を有する請求項１〜４のいずれかに記載のコンベヤーベルト。
【請求項６】
ポリマー材料は、ポリエチレンテレフタレート、ポリ乳酸、ナイロン６、ナイロン６／６、ポリエチレン、ポリプロピレン、シンジオタクチックポリスチレン、ポリアセタール及びこれらの混合物からなる群から選ばれる請求項１〜５のいずれかに記載のコンベヤーベルト。
【請求項７】
ポリマー材料は、ポリプロピレン、中密度ポリエチレン、及び高密度ポリエチレンの群から選ばれるいずれか１種を、ポリマー材料の少なくとも約８０重量％で含んでなる請求項１〜６のいずれかに記載のコンベヤーベルト。
【請求項８】
ポリマー材料は、核形成剤を、ポリマー材料の少なくとも約２．５重量％〜約７重量％で含んでなる請求項１〜７のいずれかに記載のコンベヤーベルト。
【請求項９】
核形成剤は無機物固体を含んでなる請求項１〜８のいずれかに記載のコンベヤーベルト。
【請求項１０】
核形成剤は、タルク、炭酸カルシウム、酸化チタン、硫酸バリウム、硫化亜鉛、セルロース繊維及びそれらの混合物からなる群から選ばれる請求項１〜９のいずれかに記載のコンベヤーベルト。
【請求項１１】
セルは、ポリマー材料の中に発泡剤を導入することによって形成されたことを特徴とする請求項１〜１０のいずれかに記載のコンベヤーベルト。
【請求項１２】
発泡剤は、化学的発泡剤又は物理的発泡剤である請求項１１記載のコンベヤーベルト。
【請求項１３】
物理的発泡剤は、ＦＲＥＯＮ  Ｒ１１４、イソペンタン、ｎ−ペンタン、トリクロロフルオロメタン、ジクロロジフルオロメタン、二酸化炭素、及びそれらの混合物からなる群から選ばれる請求項１２記載のコンベヤーベルト。
【請求項１４】
化学的発泡剤は、アゾジカルボンアミド、アゾジイソブチロニトリル、ｐ,ｐ-オキシビス、トリヒドラジノトリアジン、バリウム−アゾジカーボネート、ｐ−トルエンスルホニルセミカルバジド、アゾビスイソブチロニトリル、ジアゾアミノベンゼン、Ｎ，Ｎ’−ジメチル−Ｎ，Ｎ’−ジニトロソテレフタルアミド、Ｎ，Ｎ’−ジニトロソペンタメチレンテトラミン、ベンゼンスルホニルヒドラジド、トルエン―(４)―スルホニルヒドラジド、ベンゼン―１，３―ジスルホニルヒドラジド、ジフェニルスルホン―３，３―ジスルホニルヒドラジド、４，４―オキシビス（ベンゼンスルホニルヒドラジド）及びそれらの混合物からなる群から選ばれる請求項１２記載のコンベヤーベルト。
【請求項１５】
ポリマー材料は、残存する物理的発泡剤及び化学的発泡剤、並びに物理的発泡剤及び化学的発泡剤の反応副生成物を本質的に有さない請求項１２〜１４のいずれかに記載のコンベヤーベルト。
【請求項１６】
セルは主として独立気泡構造セルである請求項１〜１５のいずれかに記載のコンベヤーベルト。
【請求項１７】
ポリマー材料は、抗菌剤、導電性物質、難燃剤、顔料及びそれらの混合物からなる群から選ばれる添加剤を含む請求項１〜１６のいずれかに記載のコンベヤーベルト。
【請求項１８】
添加剤は、ポリマー材料中に、約０．１５重量％〜約１０．５重量％の量で存在する請求項１７記載のコンベヤーベルト。
【請求項１９】
モジュール（１２；１４）は、フラットトップモジュール（１２）、ラジアス・モジュール（１４）、フラッシュグリッドモジュール、隆起したリブのモジュール及びフライトモジュールからなる群から選ばれる請求項１〜１８のいずれかに記載のコンベヤーベルト。
【請求項２０】
ａ）複数のモジュール（１２；１４）であって、各モジュール（１２；１４）は、複数の第１のリンク端部（６２；８０）、複数の第２のリンク端部（６４；８２）、並びに、前記複数の第１のリンク端部（６２；８０）と前記複数の第２のリンク端部（６４；８２）とを連絡して一体に形成された中間セクション（６０；７８）を有してなり、各モジュール（１２；１４）のリンク端部（６２、６４；８０、８２）は、ベルトの最も端側に配されるモジュール（１２；１４）の各リンク端部（６２、６４；８０、８２）を除いて、隣り合うモジュール（１２；１４）のリンク端部（６２、６４；８０、８２）どうしの間で脱着自在に係合される複数のモジュール（１２；１４）；
ｂ）ポリマー材料の約２．５重量％〜約７重量％の量で核形成剤を含み、モジュール（１２；１４）の少なくとも一部を構成するポリマー材料；並びに
ｃ）係合するリンク端部（６２、６４；８０、８２）にて、前記モジュール（１２；１４）どうしを軸回転できるように連結して、モジュール式コンベヤーベルトを形成するピボットロッド
を含んでなるモジュール式コンベヤーベルト。
【請求項２１】
核形成剤は、タルク、炭酸カルシウム、酸化チタン、硫酸バリウム、硫化亜鉛、セルロース繊維及びそれらの混合物からなる群から選ばれる請求項２０記載のコンベヤーベルト。
【請求項２２】
ａ）約１００ミクロン以下の平均セル寸法の複数のセルを有するポリマー材料を用いてモジュール（１２；１４）の少なくとも一部を成形することを含めて、複数の第１のリンク端部（６２；８０）、複数の第２のリンク端部（６４；８２）、及び、前記複数の第１のリンク端部（６２；８０）と前記複数の第２のリンク端部（６４；８２）とを連絡して一体に形成された中間セクション（６０；７８）をそれぞれ有してなる複数のモジュール（１２；１４）を成形する工程；並びに
ｂ）ベルトの最も端側に配されるモジュール（１２；１４）の各リンク端部（６２、６４；８０、８２）を除いて、隣り合うモジュール（１２；１４）のリンク端部（６２、６４；８０、８２）どうしの間で、各モジュール（１２；１４）をリンク端部（６２、６４；８０、８２）にて軸まわりに動けるようにピボットロッドで連結することによって、各モジュール（１２；１４）のリンク端部（６２、６４；８０、８２）どうしを脱着自在に係合させ、モジュール式コンベヤーベルトを形成する工程
を含んでなるモジュール式コンベヤーベルトを製造する方法。
【請求項２３】
ポリマー材料にセルを形成させるための核形成剤を加える工程を含む請求項２２記載の方法。
【請求項２４】
ポリマー材料にセルを形成させるための発泡剤を加える工程を含む請求項２２又は２３記載の方法。
【請求項２５】
ａ）複数の第１のリンク端部（６２；８０）、複数の第２のリンク端部（６４；８２）、及び、前記複数の第１のリンク端部（６２；８０）と前記複数の第２のリンク端部（６４；８２）とを連絡して一体に形成された中間セクション（６０；７８）をそれぞれ有してなる複数のモジュール（１２；１４）を成形する工程；
ｂ）ポリマー材料の約２．５重量％〜約７重量％の量で核形成剤を含んでなるポリマー材料から、モジュール（１２；１４）の少なくとも一部を成形する工程；並びに
ｃ）ベルトの最も端側に配されるモジュール（１２；１４）の各リンク端部（６２、６４；８０、８２）を除いて、隣り合うモジュール（１２；１４）のリンク端部（６２、６４；８０、８２）どうしの間で、各モジュール（１２；１４）をリンク端部（６２、６４；８０、８２）にて軸まわりに動けるようにピボットロッドで連結することによって、各モジュール（１２；１４）のリンク端部（６２、６４；８０、８２）どうしを脱着自在に係合させ、モジュール式コンベヤーベルトを形成する工程
を含んでなるモジュール式コンベヤーベルトを製造する方法。
【請求項２６】
核形成剤を、タルク、炭酸カルシウム、酸化チタン、硫酸バリウム、硫化亜鉛、セルロース繊維及びそれらの混合物からなる群から選ぶことを含む請求項２５記載の方法。
【請求項２７】
核形成剤を含むポリマー材料の中に発泡剤を導入することを含む請求項２５又は２６記載の方法。
【請求項２８】
物理的発泡剤又は化学的発泡剤のいずれかを発泡剤として供給することを含む請求項２７記載の方法。
【請求項２９】
ＦＲＥＯＮ  Ｒ１１４、イソペンタン、ｎ−ペンタン、トリクロロフルオロメタン、ジクロロジフルオロメタン、二酸化炭素、及びそれらの混合物からなる群から物理的発泡剤を選ぶことを含む請求項２８記載の方法。
【請求項３０】
アゾジカルボンアミド、アゾジイソブチロニトリル、ｐ,ｐ-オキシビス、トリヒドラジノトリアジン、バリウム−アゾジカーボネート、ｐ−トルエンスルホニルセミカルバジド、アゾビスイソブチロニトリル、ジアゾアミノベンゼン、Ｎ，Ｎ’−ジメチル−Ｎ，Ｎ’−ジニトロソテレフタルアミド、Ｎ，Ｎ’−ジニトロソペンタメチレンテトラミン、ベンゼンスルホニルヒドラジド、トルエン―(４)―スルホニルヒドラジド、ベンゼン―１，３―ジスルホニルヒドラジド、ジフェニルスルホン―３，３―ジスルホニルヒドラジド、４，４―オキシビス（ベンゼンスルホニルヒドラジド）及びそれらの混合物からなる群から化学的発泡剤を選ぶ請求項２８又は２９記載の方法。
【請求項３１】
核形成剤を含むポリマー材料の約０．１重量％〜約７重量％で発泡剤を用いる請求項２７〜３０のいずれかに記載の方法。
【請求項３２】
核形成剤を含むポリマー材料を、モジュール（１２；１４）用の金型（２０）の中に注入する際に、１０００ｐｓｉ以上の圧力降下に付する請求項２５〜３１のいずれかに記載の方法。
【請求項３３】
核形成剤を含むポリマー材料を、モジュール（１２；１４）用の金型（２０）の中に注入する際に、３０００ｐｓｉ以上の圧力降下に付する請求項２５〜３２のいずれかに記載の方法。
【請求項３４】
核形成剤を含むポリマー材料を、モジュール（１２；１４）用の金型（２０）の中に注入する際に、約０．５ＧＰａ／ｓ〜約１０．０ＧＰａ／ｓの圧力降下率に付することを含む請求項２５〜３３のいずれかに記載の方法。
【請求項３５】
フラットトップモジュール（１２）、ラジアス・モジュール（１４）、フラッシュグリッドモジュール、隆起したリブのモジュール及びフライトモジュールからなる群から選ばれるいずれかのモジュール（１２；１４）を提供することを含む請求項２５〜３４のいずれかに記載の方法。